(57)【特許請求の範囲】
【請求項１】
部屋の壁面を構成する２枚の壁パネルが９０°に交差する出・入隅部における内装システムの隅構造であって；
２枚の壁パネルの各々の端部を固定するための、建屋躯体の床及び天井に対して固定された、縦に延びる２本のスタッドと、
該２本のスタッドを相互に固定する固定金具と、
スタッドに対して壁パネルを固定するクリップと、
を具備し、
上記スタッドが中空Ｈ字形の横断面形状を有するとともに、横方向側壁に開けられた係止穴を有し、
上記固定金具が、該スタッドの係止穴と係合する係合突起を有し、
上記クリップが、上記スタッドのＨ字型の中央溝と横方向側壁との間を挟むような形態でスタッドに固定されるとともに、
上記クリップが、壁パネルの側壁を受け入れる凹部を有することを特徴とする内装システムの隅構造。
【請求項２】
部屋の壁面を構成する２枚の壁パネルが交差する隅部における内装システムの構造であって；
２枚の壁パネルの各々の端部を固定するための、建屋躯体の床及び天井に対した戸境壁用又は二重の床及び天井に対した間仕切壁用に固定された、縦に延びる２本のスタッドと、
該２本のスタッドを相互に固定する固定金具と、
スタッドに対して壁パネルを固定するクリップと、を具備し、
上記２本のスタッドは、それぞれの１つの角部同士が当接されて９０°交差して配置されており、
上記固定金具の一種として、両スタッドの交差隅部に沿って掛け渡され、両スタッドに固定された入隅スタッド固定金具を備えることを特徴とする内装システムの隅構造。
【請求項３】
部屋の壁面を構成する２枚の壁パネルが交差する隅部における内装システムの構造であって；
２枚の壁パネルの各々の端部を固定するための、建屋躯体の床及び天井に対した戸境壁用又は二重の床及び天井に対した間仕切壁用に固定された、縦に延びる２本のスタッドと、
該２本のスタッドを相互に固定する固定金具と、
スタッドに対して壁パネルを固定するクリップと、を具備し、
上記２本のスタッドは、それぞれの１つの角部同士が当接されて９０°交差して配置されており、
上記スタッドが箱形の横断面形状を有するとともに、横方向側壁に開けられた係止穴を有し、
上記固定金具の一種として、両スタッドの交差部外側に沿って掛け渡された、該スタッドの係止穴と係合する係合突起を有する出隅スタッド固定金具を備えることを特徴とする内装システムの隅構造。
【請求項４】
さらに、上記出隅スタッド固定金具の外側に固定された、クリップ固定用の出隅補強カバーを備えることを特徴とする請求項３記載の内装システムの隅構造。
【請求項５】
さらに、クリップや固定金具を隠すモールを具備することを特徴とする請求項１〜４いずれか１項記載の内装システムの隅構造。
【請求項６】
上記モールが弾性部材からなり、該モールが、隅部に対向する一対のクリップの間に、弾性変形しながら組み込まれることを特徴とする請求項５記載の内装システムの隅構造。
【発明の詳細な説明】
【０００１】
【発明が属する技術分野】
本発明は、住宅やオフィス等の建物の内装システムの隅構造に関し、特に、特殊な技能を有しない者でも組み立てが可能（一業種で施工可能）で、内装工事の省力化に役立つ内装システムの隅構造に関する。
【０００２】
【従来の技術】
集合住宅等の鉄筋コンクリート製の躯体壁に沿って壁をつける際には、従来、一般的に次のようにしていた。まず躯体壁に間柱としてのスタッドをある間隔で上下ガイド材等に固定する。次にこのスタッドに石こう製等の壁面ボードを貼る。そして最後に、この壁面ボードの上に化粧板を貼るかクロス貼りの表面化粧をして仕上げる。
【０００３】
【発明が解決しようとする課題】
しかしながら、上記従来の工法では、下地から仕上げ工事まで複数の専門業者の手で施工することが前提であり、工数・コスト・所要日数ともに相当かかるものであった。また、将来、リフォームや間仕切り変更をする場合や壁面の改装仕上げを行う場合にも、壁面仕上げパネルなどを取り付ける大掛かりな工事が必要となっていた。
【０００４】
本発明は、このような問題点に鑑みてなされたもので、特殊な技能を有しない者でも組み立てが可能で、内装工事の省力化に役立つ内装システムの隅構造を提供することを目的とする。
【０００５】
【課題を解決する手段】
上記課題を解決するために、本発明は以下の手段を講じた。
本発明の第１態様は、部屋の壁面を構成する２枚の壁パネルが９０°に交差する出・入隅部における内装システムの隅構造であって、２枚の壁パネルの各々の端部を固定するための、建屋躯体の床及び天井に対して固定された、縦に延びる２本のスタッドと、該２本のスタッドを相互に固定する固定金具と、スタッドに対して壁パネルを固定するクリップと、を具備し、上記スタッドが中空Ｈ字形の横断面形状を有するとともに、横方向側壁に開けられた係止穴を有し、上記固定金具が、該スタッドの係止穴と係合する係合突起を有し、上記クリップが、上記スタッドのＨ字型の中央溝と横方向側壁との間を挟むような形態でスタッドに固定されるとともに、上記クリップが、壁パネルの側壁を受け入れる凹部を有することを特徴とする。
【０００６】
この構成によれば、一対のパネルの間にスタッドを配置し、固定金具をネジ止めすることにより構成することができるので、特殊な技能を有しない者でも組み立てが可能で、内装工事の省力化に役立つものである。
【０００７】
本発明の第２の態様は、部屋の壁面を構成する２枚の壁パネルが交差する隅部における内装システムの構造であって、２枚の壁パネルの各々の端部を固定するための、建屋躯体の床及び天井に対した戸境壁用又は二重の床及び天井に対した間仕切壁用に固定された、縦に延びる２本のスタッドと、該２本のスタッドを相互に固定する固定金具と、スタッドに対して壁パネルを固定するクリップと、を具備し、上記２本のスタッドは、それぞれの１つの角部同士が当接されて９０°交差して配置されており、上記固定金具の一種として、両スタッドの交差隅部に沿って掛け渡され、両スタッドに固定された入隅スタッド固定金具を備えることを特徴とする。
【０００８】
この構成によれば、両スタッドの交差隅部に沿って掛け渡され、両スタッドに固定された入隅スタッド固定金具を備えるので、隅部に配置される２つのスタッドを確実にかつ寸法精度良く固定することができる。
【０００９】
本発明の第３の態様は、部屋の壁面を構成する２枚の壁パネルが交差する隅部における内装システムの構造であって、２枚の壁パネルの各々の端部を固定するための、建屋躯体の床及び天井に対した戸境壁用又は二重の床及び天井に対した間仕切壁用に固定された、縦に延びる２本のスタッドと、該２本のスタッドを相互に固定する固定金具と、スタッドに対して壁パネルを固定するクリップと、を具備し、上記２本のスタッドは、それぞれの１つの角部同士が当接されて９０°交差して配置されており、上記スタッドが箱形の横断面形状を有するとともに、横方向側壁に開けられた係止穴を有し、上記固定金具の一種として、両スタッドの交差部外側に沿って掛け渡された、該スタッドの係止穴と係合する係合突起を有する出隅スタッド固定金具を備えることを特徴とする。
【００１０】
この構成によれば、スタッドの係止穴と係合する出隅スタッド固定金具を備えているので、出隅スタッド固定金具によりスタッドの振れが防止され、確実にかつ寸法精度良くスタッドの相対位置を規定することができる。
【００１１】
【発明の実施の形態】
以下、本発明の実施の形態について添付図面を参照して詳細に説明する。
図１は、本発明の一実施形態に係る内装システムの間仕切壁の隅構造を示す上面図である。住宅やオフィスなどの建物の隅部では、所定の間隔をおいてほぼ平行に配置した一対のパネルＰ１，Ｐ２と、一対のパネルＰ３，Ｐ４とが、その主面方向をほぼ９０°で交差するように設置されている。なお、戸境壁の場合には、パネルＰ１、Ｐ３で入隅構造を形成し、パネルＰ２、Ｐ４で出隅構造を形成する。
【００１２】
それぞれのパネルＰ１〜Ｐ４の端部には、アルミニウム型材など（材質は問わず）で構成されるパネルクリップ１１が取り付けられている。このパネルクリップ１１は、壁パネルの側壁を受け入れる凹部であるパネル受け部１１ａ及びスタッド・カバー受け部１１ｂを有しており、パネルＰ１〜Ｐ４は、パネルクリップ１１のパネル受け部１１ａで受けられる。また、内側のパネルＰ１，Ｐ３には、スタッド・カバー受け部１１ｂを外側に向けるようにパネルクリップ１１が取り付けられ、外側のパネルＰ２，Ｐ４には、スタッド・カバー受け部１１ｂを内側に向けるようにパネルクリップ１１が取り付けられている。
【００１３】
パネルＰ１とＰ３との間及びパネルＰ２とＰ４との間には、建屋躯体の床及び天井に対した戸境壁用又は二重の床及び天井に対した間仕切壁用に固定された、縦に延びる間柱としてのスタッドＳが設置されている。スタッドＳは、図２に示す形状を有している。
【００１４】
図２は、スタッドＳを示す図であり、（Ａ）は側面図であり、（Ｂ）は断面図である。
このスタッドＳは、断面が中空部を有する略Ｈ字形状を有しており、横方向の幅が５０ｍｍ、前後方向厚さ３５ｍｍ、肉厚１．５ｍｍのアルミニウム型材など（材質は問わず）である。図２において、前後方向の面Ｓｄ，Ｓｄ’は、壁面に沿った面であり、その中央には上下に長く延びる係止溝Ｓｂ，Ｓｂ’が設けられている。
【００１５】
スタッドＳの側面Ｓｃ，Ｓｃ’には、複数の振れ止め係止穴Ｓａが形成されている。振れ止め係止穴Ｓａは、長さ１２０ｍｍ、幅１５ｍｍの縦方向に延びる細長い長方形の穴であり、スタッドＳの側面Ｓｃに４個設けられている。図中のピッチ寸法の一例は、Ｐ１＝Ｐ５＝１７０ｍｍ、Ｐ２＝Ｐ３＝Ｐ４＝７５０ｍｍである。この振れ止め係止穴Ｓａには、後述する固定金具が組み立て時に挿入される。なお、本明細書における寸法例は、当然のことながら全て参考値である。
【００１６】
上記形状を有するスタッドＳは、内側のパネルＰ１及びＰ３側のパネルクリップ１１のスタッド・カバー受け部１１ｂに一方の面Ｓｄを当接させるようにして、パネルクリップ１１に支持される。すなわち、パネルクリップ１１は、スタッドのＨ字型の中央の係止溝Ｓｂと横方向側壁Ｓｃとの間を挟むような形態でスタッドＳに固定される。また、２つのスタッドＳは、パネルクリップ１１に支持されない面Ｓｄ同士及び側面Ｓｃ同士がほぼ９０°になるようにして、面Ｓｄと側面Ｓｃとの間の角部同士が近接するようにして配置されている。
【００１７】
一つのスタッドＳの係止溝Ｓｂから面Ｓｄを介して他のスタッドＳの面Ｓｄから係止溝Ｓｂにわたって、入隅スタッド固定金具１２が取り付けられている。この入隅スタッド固定金具１２は、図３に示す形状を有する。
【００１８】
図３は、図１に示す内装システムの隅構造における入隅スタッド固定金具を示す図であり、（Ａ）は正面図であり、（Ｂ）は側面図である。
図３に示す入隅スタッド固定金具１２は、図中において、鉛直方向に延出する第１のプレート１２ａ，１２ｃ，１２ｅと、水平方向に延出する第２のプレート１２ｂ，１２ｄ，１２ｆとから構成されており、第１のプレート１２ａ，１２ｃ，１２ｅと第２のプレート１２ｂ，１２ｄ，１２ｆとが交互に直角に連接するような形状を有する。したがって、入隅スタッド固定金具１２は、図３（Ｂ）に示すように、階段形状を有する。また、第１のプレート１２ａ及び第２のプレート１２ｆの中央には、ネジ穴１２ｇが形成されている（第２のプレート１２ｆのネジ穴は図示されていない）。
【００１９】
このような形状を有する入隅スタッド固定金具１２において、第１のプレート１２ａ及び第２のプレート１２ｆの長さは、スタッドＳの係止溝Ｓｂの幅に応じて適宜決定され、第２のプレート１２ｂ及び第１のプレート１２ｅの長さは、スタッドＳの係止溝Ｓｂの深さに応じて適宜決定され、第１のプレート１２ｃ及び第２のプレート１２ｄの長さは、スタッドＳの面Ｓｄの幅に応じて適宜決定される。
【００２０】
したがって、入隅スタッド固定金具１２は、図１に示すように、第１のプレート１２ａ及び第２のプレート１２ｆをスタッドＳの係止溝Ｓｂの底面に当接させ、第２のプレート１２ｂ及び第１のプレート１２ｅをスタッドの係止溝Ｓｂの側面に当接させ、第１のプレート１２ｃ及び第２のプレート１２ｄをスタッドＳの面Ｓｄに当接させるようにして、２つのスタッドＳに配置され、第１のプレート１２ａ及び第２のプレート１２ｆのネジ穴１２ｇを介してスタッドＳにネジ止めされている。
【００２１】
これにより、パネルクリップ１１に支持されない面Ｓｄ同士及び側面Ｓｃ同士がほぼ９０°になるようにして、面Ｓｄと側面Ｓｃとの間の角部同士が近接するようにして配置されている２つのスタッドＳの位置を固定することができる。
【００２２】
上記２つのスタッドＳのそれぞれの振れ止め係止穴Ｓａと係合するようにして、出隅スタッド固定金具１４が取り付けられている。この出隅スタッド固定金具１４は、図４に示す形状を有する。
【００２３】
図４は、図１に示す内装システムの隅構造における出隅スタッド固定金具を示す図であり、（Ａ）は正面図であり、（Ｂ）は側面図である。
図４に示す出隅スタッド固定金具１４は、図中において、手前側に延出する第３のプレート１４ａ，１４ｆと、奥側に延出する第４のプレート１４ｂ，１４ｄと、鉛直方向に延出する第５のプレート１４ｃ，１４ｇ，１４ｈ，１４ｉとから構成されており、第５のプレート１４ｃの上部に第３のプレート１４ａ及び第４のプレート１４ｂが直角に連接され、第５のプレート１４ｃの中央部に第４のプレート１４ｄが直角に連接され、第５のプレート１４ｃの下部で直角に連接した第３のプレート１４ｆの中央部に第５のプレート１４ｇが直角に連接され、第３のプレート１４ｆの端部に第５のプレート１４ｈ及び１４ｉが連接された形状を有する。
【００２４】
また、第５のプレート１４ｃの中央部であって、第４のプレート１４ｄが連接している部分の上方には、開口部１４ｅが形成されている。また、第５のプレート１４ｃのそれぞれの第３のプレート１４ａの下方には、ネジ穴１４ｊが形成されている。また、それぞれの第５のプレート１４ｉの中央にもネジ穴１４ｋが形成されている。
【００２５】
したがって、出隅スタッド固定金具１４は、図１に示すように、第４のプレート１４ｂ，１４ｄ及び第５のプレート１４ｇ，１４ｈを係合突起として、スタッドＳの振れ止め係止穴Ｓａに挿入するようにして嵌め込まれ、第５のプレート１４ｃのネジ穴１４ｊを介してスタッドＳの側面Ｓｃにネジ１３で固定される。
【００２６】
これにより、パネルクリップ１１に支持されない面Ｓｄ同士及び側面Ｓｃ同士がほぼ９０°になるようにして、面Ｓｄと側面Ｓｃとの間の角部同士が近接するようにして配置されている２つのスタッドＳの相対位置を固定することができ、更にスタッドＳの振れ止めを防止することができる。
【００２７】
一方、図１において、外側のパネルＰ２及びＰ４側のパネルクリップ１１は、パネル受け部１１ａでそれぞれパネルＰ２及びＰ４の端部を受け、スタッド・カバー受け部１１ｂで出隅補強カバー１５を受ける。この出隅補強カバー１５は、出隅スタッド固定金具１４の外側に固定される。この出隅補強カバー１５は、図５に示す形状を有する。
【００２８】
図５は、図１に示す内装システムの隅構造における出隅補強カバーを示す図であり、（Ａ）は正面図であり、（Ｂ）は側面図である。
出隅補強カバー１５は、出隅スタッド固定金具１４の第３のプレート１４ａ及び第５のプレート１４ｉと当接する金具当接面１５ａと、パネルクリップ１１のスタッド・カバー受け部１１ｂの側面と嵌合するパネルクリップ嵌合面１５ｂ，１５ｄと、パネルクリップ１１のスタッド・カバー受け部１１ｂの底面と当接するパネルクリップ受け部当接面１５ｃとから構成されており、金具当接面１５ａ及びパネルクリップ嵌合面１５ｂ、パネルクリップ嵌合面１５ｂ及びパネルクリップ受け部当接面１５ｃ、パネルクリップ受け部当接面１５ｃ及びパネルクリップ嵌合面１５ｄ、並びにパネルクリップ嵌合面１５ｄ同士は、直角で連接している。また、各面には、長穴１５ｅが形成されている。なお、パネルクリップ受け部当接面１５ｃの長さは、パネルクリップ１１のスタッド・カバー受け部１１ｂの幅に対応して適宜決定される。
【００２９】
したがって、出隅補強カバー１５は、金具当接面１５ａを出隅スタッド固定金具１４の第３のプレート１４ａ及び第５のプレート１４ｉに当接させ、パネルクリップ受け部当接面１５ｃをパネルクリップ１１のスタッド・カバー受け部１１ｂの底面に当接させるようにして配置し、第３のプレート１４ａ及び第５のプレート１４ｉのネジ穴１４ｋと金具当接面１５ａの長穴１５ｅとを介してネジ１３により固定される。この場合、金具当接面１５ａは、長穴１５ｅを有するので、固定の際の部材ずれを許容することができる。
これにより、スタッドＳがほぼ９０°向きを変えて配置された際にできる間隙での強度を補強することができる。
【００３０】
パネルクリップ１１のパネル受け部１１ａにおいては、パネルＰを貫通してスタッドＳ又は出隅補強カバー１５に達するように、長ネジ１６が貫挿されている。すなわち、内側のパネルＰ１及びＰ３では、長ネジ１６がスタッドＳに達し、外側のパネルＰ２及びＰ４では、長ネジ１６が出隅補強カバー１５に達している。これにより、内装システムの隅構造が確立される。
【００３１】
内側のパネルクリップ側には、クリップや固定金具を隠す入隅モール１７が取り付けられ、外側のパネルクリップ側には、クリップや固定金具を隠す出隅モール１８が取り付けられている。入隅モール１７は、パネルクリップ１１のパネル受け部１１ａの外側の角部を保持するクリップ保持部１７ａと、パネル面に当接する爪１７ｂと、長ネジ１６の頭を隠すネジ頭収容部１７ｃとを有する。
【００３２】
一方、出隅モール１８は、パネルクリップ１１のパネル受け部１１ａの外側の角部を保持するクリップ保持部１８ａと、パネルクリップ１１のパネル受け部１１ａの外側を押えるクリップ押え部１８ｂと、パネル面に当接する爪１７ｂと、長ネジ１６の頭を隠すネジ頭収容部１８ｄとを有する。
【００３３】
これらの入隅モール１７及び出隅モール１８は、例えば軟質樹脂等の弾性部材で構成される。これらのモールは、隅部に対向する一対のパネルクリップ１１の間に、弾性変形しながら組み込まれ、これにより、クリップや固定金具を隠すことができる。したがって、隅構造の外観を向上させることができる。
【００３４】
上述した内装システムの隅構造は、次のようにして作製される。まず、外側の一対のパネルＰ２，Ｐ４にパネルクリップ１１のパネル受け部１１ａを当接させ、スタッド・カバー受け部１１ｂに出隅補強カバー１５のパネルクリップ受け部当接面１５ｃを当接させ、長ネジ１６で固定する。
【００３５】
次いで、一対のパネルＰの端部にそれぞれパネルクリップ１１のパネル受け部１１ａを当接させ、スタッド・カバー受け部１１ｂにスタッドＳの面Ｓｄを当接させ、長ネジ１６で固定する。次いで、一方のスタッドＳの振れ止め係止穴Ｓａに出隅スタッド固定金具１４の係合突起であるプレート１４ｂ，１４ｄを嵌合し、ネジ１３で固定する。
【００３６】
次いで、他方のスタッドＳの振れ止め係止穴Ｓａに、出隅スタッド固定金具１４の係合突起である残りのプレート１４ｇ，１４ｈを嵌合し、ネジ１３で固定する。また、出隅スタッド固定金具１４のプレート１４ａ，１４ｉと出隅補強カバー１５の金具当接面１５ａとをネジ１３により固定する。
【００３７】
次いで、２つのスタッドＳに掛け渡すようにして入隅スタッド固定金具１２を取り付け、ネジ１３により固定する。最後に、パネルＰ１及びＰ３側に入隅モール１７を取り付け、パネルＰ２及びＰ４側に出隅モール１８を取り付ける。
【００３８】
このように、本実施形態の内装システムの隅構造は、一対のパネルの間にスタッドを配置し、固定金具をネジ止めし、モールにより固定部をカバーすることにより構成することができるので、特殊な技能を有しない者でも組み立てが可能であり、非常に簡単に設置することができる。
【００３９】
本発明は、上記実施形態に限定されず、種々変更して実施することができる。したがって、上記実施形態における部材の寸法や形状は一例に過ぎず、適宜変更して実施することができる。
【００４０】
【発明の効果】
以上説明したように本発明の内装システムの隅構造は、一対のパネルの間にスタッドを配置し、固定金具をネジ止めし、必要に応じてモールにより固定部をカバーすることにより構成することができるので、特殊な技能を有しない者でも組み立てが可能で、内装工事の省力化に役立つものである。また、傷の付き易い出隅部の交換が容易となる。さらに、特殊な技能を有しない者、あるいは単一業種で施工可能で内装工事の省力化に役立つ。また、のり、釘を使用しないで施工可能な乾式工法ともできるため、取り外しが容易である。
【図面の簡単な説明】
【図１】本発明の一実施形態に係る内装システムの隅構造を示す上面図である。
【図２】図１に示す内装システムの隅構造におけるスタッドを示す図であり、（Ａ）は側面図であり、（Ｂ）は断面図である。
【図３】図１に示す内装システムの隅構造における入隅スタッド固定金具を示す図であり、（Ａ）は正面図であり、（Ｂ）は側面図である。
【図４】図１に示す内装システムの隅構造における出隅スタッド固定金具を示す図であり、（Ａ）は正面図であり、（Ｂ）は側面図である。
【図５】図１に示す内装システムの隅構造における出隅補強カバーを示す図であり、（Ａ）は正面図であり、（Ｂ）は側面図である。
【符号の説明】
１１…パネルクリップ、１１ａ…パネル受け部、
１１ｂ…スタッド・カバー受け部、１２…入隅スタッド固定金具、
１２ａ，１２ｃ，１２ｅ…第１のプレート、
１２ｂ，１２ｄ，１２ｆ…第２のプレート、
１２ｇ，１４ｊ，１４ｋ…ネジ穴、１３…ネジ、１４…出隅スタッド固定金具、
１４ａ，１４ｆ…第３のプレート、１４ｂ，１４ｄ…第４のプレート、
１４ｃ，１４ｇ，１４ｈ，１４ｉ…第５のプレート、１５…出隅補強カバー、
１５ａ…金具当接面、１５ｂ，１５ｄ…パネルクリップ嵌合面、
１５ｃ…パネルクリップ受け部当接面、１５ｅ…長穴、１６…長ネジ、
１７…入隅モール、１７ａ，１８ａ…クリップ保持部、１７ｂ，１８ｃ…爪、
１７ｃ，１８ｄ…ネジ頭収容部、１８…出隅モール、１８ｃ…クリップ押え部、
Ｐ１〜Ｐ４…パネル、Ｓ…スタッド、Ｓａ…振れ止め係止穴、Ｓｂ…係止溝、
Ｓｃ…側面、Ｓｄ…面。
【図１】
0003625368.tif 000002
【図２】
0003625368.tif 000003
【図３】
0003625368.tif 000004
【図４】
0003625368.tif 000005
【図５】
0003625368.tif 000006